(57)【要約】【課題】アームの連結部における旋回角度の制限をなくし、アームの回動角度を大きくして洗浄用器具の移動範囲を拡大するとともに、回転継ぎ手をコンパクトに形成し、かつシール部が破損しても廃水の給水管への浸入を防止することができる理美容、医療用の洗浄用機器を提供すること。【解決手段】回動可能に配設したアーム１の先端に洗浄用器具６を配設するとともに、アーム１に給水管２及び排水管３を付設した理美容、医療用の洗浄用機器であって、アーム１の枢着部に、排水管３０の中心に給水管２０を貫通して配設した回転継ぎ手５を設ける。【選択図】図２
2007319178.tif 000002
【特許請求の範囲】
【請求項１】
回動可能に配設したアームの先端に洗浄用器具を配設するとともに、前記アームに給水管及び排水管を付設した理美容、医療用の洗浄用機器であって、アームの枢着部に、排水管の中心に給水管を貫通して配設した回転継ぎ手を設けたことを特徴とする理美容、医療用の洗浄用機器。
【請求項２】
固定側の給水管を旋回側の排水管上部に第１シール部を介して貫通して配設するとともに、該第１シール部の上方で、固定側の給水管と旋回側の給水管とを第２シール部を介して接続したことを特徴とする請求項１記載の理美容、医療用の洗浄用機器。
【請求項３】
２本のアームを回動可能に連結し、該アームのうちの一方のアームの先端に洗浄用器具を配設するとともに、前記アームに給水管及び排水管を付設した理美容、医療用の洗浄用機器を、２台の椅子の間に設置したキャビネット内に配設するとともに、該キャビネットの椅子と対向する開口部からアームを延伸させることにより洗浄用器具を椅子の近傍位置に選択的に引き出すことができるようにしたことを特徴とする理美容、医療用の洗浄用機器の配設構造。
【発明の詳細な説明】
【技術分野】
【０００１】
本発明は、理美容、医療用の洗浄用機器及びその配設構造に関し、特に、アームの連結部における旋回角度の制限をなくし、アームの回動角度を大きくして洗浄用器具の移動範囲を拡大するとともに、回転継ぎ手をコンパクトに形成し、かつシール部が破損しても廃水の給水管への浸入を防止することができる理美容、医療用の洗浄用機器及びその配設構造に関するものである。
【背景技術】
【０００２】
例えば、理容院や美容院では、回動可能に連結されたアームの先端に、洗髪用のボウルやシャワー器具を配設するとともに、該アームに給水管及び排水管を付設した洗髪台が使用されている（例えば、特許文献１参照）。
給水管はシャワー器具に温水を供給し、排水管は、この温水で洗髪した廃水を床側の排水口に排出する。
【０００３】
ところで、従来の洗髪台は、図５に示すように、フレキシブルホースからなる排水管３をアーム同士の枢着部に配設するとともに、フレキシブルホースからなる給水管２をこの排水管３に沿わせて配設し、アームのカバーで覆うようにしている。
このため、この洗髪台では、屈曲時のフレキシブルホースへの負担を和らげるために、余裕をもった配管スペースを要するとともに、給水管２と排水管３の両方を屈曲させるためにはさらにスペースが必要となり、いずれにしても、給水管２や排水管３が相互に、又はアームやカバーに干渉することから、枢着部におけるアームの旋回角度が制限され、アームの回動角度を大きくする際の妨げとなっている。
【特許文献１】特開２００１−３１４２２３号公報
【発明の開示】
【発明が解決しようとする課題】
【０００４】
本発明は、上記従来の理美容、医療用の洗浄用機器が有する問題点に鑑み、アームの連結部における旋回角度の制限をなくし、アームの回動角度を大きくして洗浄用器具の移動範囲を拡大するとともに、回転継ぎ手をコンパクトに形成し、かつシール部が破損しても廃水の給水管への浸入を防止することができる理美容、医療用の洗浄用機器を提供することを第１の目的とする。
【０００５】
また、本発明は、アームの連結部における旋回角度の制限をなくし、アームの回動角度を大きくして洗浄用器具の移動範囲を拡大することにより、ゆとりを持たせ、個室感覚で、高級感のあるサロンレイアウトとすることができる理美容、医療用の洗浄用機器の配設構造を提供することを第２の目的とする。
【課題を解決するための手段】
【０００６】
上記第１目的を達成するため、本発明の理美容、医療用の洗浄用機器は、回動可能に配設したアームの先端に洗浄用器具を配設するとともに、前記アームに給水管及び排水管を付設した理美容、医療用の洗浄用機器であって、アームの枢着部に、排水管の中心に給水管を貫通して配設した回転継ぎ手を設けたことを特徴とする。
【０００７】
この場合において、固定側の給水管を旋回側の排水管上部に第１シール部を介して貫通して配設するとともに、該第１シール部の上方で、固定側の給水管と旋回側の給水管とを第２シール部を介して接続することができる。
【０００８】
また、上記第２目的を達成するため、本発明の理美容、医療用の洗浄用機器の配設構造は、２本のアームを回動可能に連結し、該アームのうちの一方のアームの先端に洗浄用器具を配設するとともに、前記アームに給水管及び排水管を付設した理美容、医療用の洗浄用機器を、２台の椅子の間に設置したキャビネット内に配設するとともに、該キャビネットの椅子と対向する開口部からアームを延伸させることにより洗浄用器具を椅子の近傍位置に選択的に引き出すことができるようにしたことを特徴とする。
【発明の効果】
【０００９】
本発明の理美容、医療用の洗浄用機器によれば、回動可能に配設したアームの先端に洗浄用器具を配設するとともに、前記アームに給水管及び排水管を付設した理美容、医療用の洗浄用機器であって、アームの枢着部に、排水管の中心に給水管を貫通して配設した回転継ぎ手を設けたことから、従来のように給水管や排水管がアームやカバーに干渉したりすることがなく、これにより、アームの連結部における旋回角度の制限をなくし、アームを折り畳んだ状態から大きく開いて、洗浄用器具の移動範囲を拡大することができる。
また、排水管と給水管が同軸に配設されることから、回転継ぎ手をコンパクトに形成し、アームの枢着部に無理なく収容できるとともに、排水管と給水管が回転継ぎ手内で完全に分離されることから、シール部が破損しても廃水が給水管に浸入することを防止することができる。
【００１０】
この場合において、固定側の給水管を旋回側の排水管上部に第１シール部を介して貫通して配設するとともに、該第１シール部の上方で、固定側の給水管と旋回側の給水管とを第２シール部を介して接続することにより、排水管上部の第１シール部が破損した場合でも、旋回側給水管との隙間から漏水を排出し、給水管同士の第２シール部に届きにくくすることができ、これにより、廃水に対する給水管のシールをより確実にすることができる。
【００１１】
また、本発明の理美容、医療用の洗浄用機器の配設構造によれば、２本のアームを回動可能に連結し、該アームのうちの一方のアームの先端に洗浄用器具を配設するとともに、前記アームに給水管及び排水管を付設した理美容、医療用の洗浄用機器を、２台の椅子の間に設置したキャビネット内に配設するとともに、該キャビネットの椅子と対向する開口部からアームを延伸させることにより洗浄用器具を椅子の近傍位置に選択的に引き出すことができるようにしたことから、洗浄用器具を使用しないときはキャビネットに収納して美観を保つことができ、一方、使用時は、キャビネットから引き出して両方に設けた椅子で共用することができるとともに、アーム長を有効に活用することにより、椅子間ピッチを大きく取ることでゆとりを持たせ、個室感覚で、高級感のあるサロンレイアウトとすることができる。
【発明を実施するための最良の形態】
【００１２】
以下、本発明の理美容、医療用の洗浄用機器及びその配設構造の実施の形態を、図面に基づいて説明する。
【実施例１】
【００１３】
図１〜図４に、理美容、医療用の洗浄用機器の一実施例として、理美容用の洗浄用機器（洗髪台）を示す。
この洗髪台は、回動可能に連結されたアーム１の先端に洗浄用器具６を配設するとともに、該アーム１に給水管２及び排水管３を付設している。
そして、この洗髪台は、アーム同士の枢着部４に、排水管３０の中心に給水管２０を貫通して配設した回転継ぎ手５を設けている。
【００１４】
アーム１は、本実施例では、床側に固定されたベース部１１と、該ベース部１１にその基部が回動可能に枢着された下アーム１２と、該下アーム１２の先端部にその基部が回動可能に枢着された上アーム１３とを備えている。
上アーム１３の先端部には、洗浄用器具６が配設されるとともに、上アーム１３と下アーム１２はそれぞれカバー（図示省略）にて被覆されている。
【００１５】
洗浄用器具６は、アーム１の先端に固定された洗髪用のボウル６１と、該ボウル６１に付設されたシャワー器具６２とからなる。
ボウル６１は、上アーム１３の先端に回動可能に支持されるとともに、排水管３を介して床側の排水口に接続されており、また、シャワー器具６２には、給湯機から延設された給水管２が接続されている。
【００１６】
給水管２はフレキシブルホースからなり（回転継ぎ手を除く）、下アーム１２の下から回転継ぎ手５を介して上アーム１３の上に延設され、シャワー器具６２に接続されている。
また、排水管３は硬質パイプ材やフレキシブルホースからなり（回転継ぎ手を除く）、下アーム１２の下から回転継ぎ手５を介して上アーム１３の上に延設され、ボウル６１に接続されている。
【００１７】
回転継ぎ手５は、金属管等からなり、上アーム１３と下アーム１２の枢着部軸心に配設された排水管３０と、該排水管３０の中心を貫通する給水管２０とを備えている。
排水管３０は、下アーム１２の下に固定される下部エルボキャップ３１と、該下部エルボキャップ３１から下アーム１２及び上アーム１３を貫通するように立設された直管３２と、該直管３２の上部に回動可能に嵌着され、上アーム１３の上に固定される上部エルボキャップ３３とを備えている。
下部エルボキャップ３１は、下アーム１２及び上アーム１３の回転軸を兼ねた直管３２に固定されており、本実施例では、上部エルボキャップ３３がＯリングのシール部３４を介して直管３２に回動可能に接続されている。
なお、下部エルボキャップ３１及び上部エルボキャップ３３は、管状の接続部３５をそれぞれ側方に延設し、各接続部３５に下アーム１２及び上アーム１３側の排水管３をそれぞれ接続するようにしている。
【００１８】
一方、給水管２０は、金属管等からなり、排水管３０の下部エルボキャップ３１を貫通し固定された下部エルボ２１と、該下部エルボ２１から固着状態で立設された直管２２と、該直管２２の上部に一体に固定され、上部エルボキャップ３３を回動を許容して貫通するニップル２６と、該ニップル２６の上部に回動可能に嵌着された上部エルボ２３とを備えている。
上部エルボ２３は、排水管３０の上部エルボキャップ３３に固定され、該上部エルボキャップ３３と一体に回動する。
ニップル２６は、上記回動する上部エルボ２３及び上部エルボキャップ３３に対し、それぞれＯリングからなるシール部２４を備え、給水管２０の廃水に対するシールを２重に設けている。
上部エルボキャップ３３と上部エルボ２３の間には隙間が設けられており、上部エルボキャップ３３の第１シール部２４ｂが破損した場合でも、この隙間から漏水が排出されることにより、上部エルボ２３の第２シール部２４ａに廃水が届きにくい構造になっている。
なお、下部エルボ２３及び上部エルボ２１は、管状の接続部２５をそれぞれ側方に延設し、各接続部２５に下アーム１２及び上アーム１３側の給水管２をそれぞれ接続するようにしている。
【００１９】
また、本実施例では、図４（ａ）、（ｂ）に示すように、洗浄用器具６を含む洗髪台を２台の椅子８、８の間に設置した、例えば、カウンター形状のキャビネット７内に配設するとともに、このキャビネット７の椅子８、８と対向する面にそれぞれ扉７１を付設した開口部を設け、この扉７１を開いて開口部からアーム１を延伸させることにより洗浄用器具６を椅子８、８の近傍位置に選択的に引き出して使用できるようにしている。
これにより、洗髪台を使用しないときは、洗浄用器具６を含む洗髪台をキャビネット７に収納して美観を保つとともに、使用時はアーム１を引き出して、洗浄用器具６をキャビネット７の両側に配置した椅子８、８で共用するようにし、さらに、アーム長を有効に活用することにより、椅子間ピッチを大きく取って、キャビネット７を間仕切りにして、図４（ｃ）に示す従来例よりも、ゆとりを持たせ、個室感覚で、高級感のあるサロンレイアウトとすることができる。
【００２０】
かくして、本実施例の洗髪台は、回動可能に連結されたアーム１の先端に洗浄用器具６を配設するとともに、該アーム１に給水管２及び排水管３を付設した洗髪台において、アーム同士の枢着部４に、排水管３０の中心に給水管２０を貫通して配設した回転継ぎ手５を設けることから、従来のように給水管２や排水管３がアーム１やカバーに干渉したりすることがなく、これにより、アームの連結部における旋回角度の制限をなくし、アーム１を折り畳んだ状態から大きく開いて、洗浄用器具６の移動範囲を拡大することができる。
また、排水管３０と給水管２０が同軸に配設されることから、回転継ぎ手５をコンパクトに形成し、アームの枢着部４に無理なく収容できるとともに、排水管３０と給水管２０が回転継ぎ手５内で完全に分離されることから、シール部２４、３４が破損しても廃水が給水管２０に浸入することを防止することができる。
【００２１】
この場合、固定側給水管のニップル２６を旋回側排水管の上部エルボキャップ３３に第１シール部２４ｂを介して貫通するとともに、該貫通部の上方で、前記ニップル２６と旋回側の上部エルボ２３とを第２シール部２４ａを介して接続することにより、上部エルボキャップ３３との第１シール部２４ｂが破損した場合でも、上部エルボ２３との隙間から漏水を排出し、上部エルボ２３側の第２シール部２４ａに届きにくくすることができ、これにより、廃水に対する給水管２０のシールをより確実にすることができる。
【００２２】
また、洗浄用器具６を含む洗髪台を２台の椅子８、８の間に設置したキャビネット７内に配設するとともに、このキャビネット７の椅子８、８と対向する面にそれぞれ扉７１を設け、この扉７１を開いてアーム１を延伸させることにより洗浄用器具６を椅子８、８の近傍位置に選択的に引き出して使用できるようにしているので、洗髪台を使用しないときは、洗浄用器具６をキャビネット７に収納して美観を保つとともに、使用時はアーム１を引き出して、洗浄用器具６をキャビネット７の両側に配置した椅子８、８で共用することができる。
【００２３】
以上、本発明の理美容、医療用の洗浄用機器及びその配設構造について、その実施例に基づいて説明したが、本発明は上記実施例に記載した構成に限定されるものではなく、例えば、回転継ぎ手５を上アーム１３と下アーム１２の連結部以外のアーム１の連結部に適用したり、理美容用の洗浄用機器（洗髪台）以外の歯科用洗浄用機器等として利用し得るなど、その趣旨を逸脱しない範囲において適宜その構成を変更することができる。
【産業上の利用可能性】
【００２４】
本発明の理美容、医療用の洗浄用機器及びその配設構造は、アームの連結部における旋回角度の制限をなくし、アームの回動角度を大きくして洗浄用器具の移動範囲を拡大するとともに、回転継ぎ手をコンパクトに形成し、かつシール部が破損しても廃水の給水管への浸入を防止するという特性を有していることから、複数の椅子で共用する理美容、医療用の洗浄用機器の用途に好適に用いることができる。
【図面の簡単な説明】
【００２５】
【図１】本発明の理美容、医療用の洗浄用機器の一実施例を示し、（ａ）は断面図、（ｂ）は平面図である。
【図２】同洗浄用機器の回転継ぎ手を示し、（ａ）はアームと平行の断面図、（ｂ）はアームと直交する断面図である。
【図３】同洗浄用機器の洗浄用器具の移動範囲の一例を示す平面図である。
【図４】理美容、医療用の洗浄用機器の配設構造を示し、（ａ）は本発明の理美容、医療用の洗浄用機器の配設構造の一実施例を示す平面図、（ｂ）は同側面図、（ｃ）は従来の理美容、医療用の洗浄用機器の配設構造を示す平面図である。
【図５】従来のアーム同士の枢着部における給水管と排水管を示し、（ａ）は給水管と排水管をフレキシブルホースで構成した平面図、（ｂ）は同正面図である。
【符号の説明】
【００２６】
１    アーム
１１  ベース部
１２  下アーム
１３  上アーム
２    給水管
２０  給水管
２１  下部エルボ
２２  直管
２３  上部エルボ
２４  シール部
２４ａ  第２シール部
２４ｂ  第１シール部
２５  接続部
２６  ニップル
３    排水管
３０  排水管
３１  下部エルボキャップ
３２  直管
３３  上部エルボキャップ
３４  シール部
３５  接続部
４    枢着部
５    回転継ぎ手
６    洗浄用器具
６１  ボウル
６２  シャワー器具
７    キャビネット
７１  扉
８    椅子
【図１】
2007319178.tif 000003
【図２】
2007319178.tif 000004
【図３】
2007319178.tif 000005
【図４】
2007319178.tif 000006
【図５】
2007319178.tif 000007